(57)【特許請求の範囲】
【請求項１】
各種汚泥状廃棄物を収容する略円筒状のタンクと、このタンクの上部に設けられ且つ該タンクの略全幅に相当する開口幅を有する汚泥投入用開口部と、この開口部を左右に２分して覆い且つそれぞれが回動動作を行って開閉する左側蓋体及び右側蓋体と、これら左側蓋体及び右側蓋体を開閉する駆動装置と、前記タンクの後端部に設けられた汚泥排出用開口部と、この開口部を覆い且つ回動動作を行って開閉する後端部蓋体と、前記タンク内にその軸長方向に進退可能に設けられて該タンク内の汚泥状廃棄物を外部に排出するための押し出し式排土板と、この排土板を進退させる駆動装置と、前記タンクの前側を持ち上げ該タンクを傾斜させる傾動装置と、前記左側蓋体及び右側蓋体を閉状態にロックするロック装置を備えており、
前記左側蓋体及び右側蓋体を開閉する駆動装置は、該左側蓋体及び右側蓋体の前端部及び後端部に夫々設けられた開閉用シリンダ装置からなり、
前記押し出し式排土板の左右両端部には摺動部が設けられており、この摺動部は前記タンク内面に設けられたガイドレール上を該タンクの軸方向に沿って摺動し、
前記ロック装置は、前記左側蓋体及び右側蓋体を閉の向きに押圧する押圧機構を有し、この押圧機構は左側蓋体及び右側蓋体の上面に設けられた楔状体と、左側蓋体及び右側蓋体の近傍にそれぞれ設けられ楔状体の上面を押圧する板状カムと、この板状カムを回動させる駆動装置とからなり、この駆動装置はシリンダ装置と、このシリンダ装置に接続されたリンク機構とから構成されていることを特徴とする汚泥状廃棄物の運搬車。
【発明の詳細な説明】
【０００１】
【発明の属する技術分野】
本発明は、汚泥状廃棄物の運搬車に関し、より詳しくは、主として高粘性の汚泥状廃棄物、特に、脱水処理がなされた屎尿等の汚泥状廃棄物の収容許容量、密閉収容性を高めるとともに、この種の廃棄物を現場にてスムースに投入、排出することができる汚泥状廃棄物の運搬車に関する。
【０００２】
【従来の技術】
従来より、脱水処理がなされた汚泥状廃棄物を運搬する自動車が提案されている。しかしながら、従来提案されているこの種の自動車は、ダンプカーにおいてその荷台を改造しただけのものであったため、廃棄物の収容許容量、密閉収容性等に問題があり、廃棄物の異臭漏れが生じるという問題もあった。
【０００３】
【発明が解決しようとする課題】
本発明は、このような実情に鑑みてなされたもので、主として高粘性の汚泥状廃棄物、特に、脱水処理がなされた屎尿等の汚泥状廃棄物の収容許容量、密閉収容性を高めるとともに、この種の廃棄物を現場にてスムースに投入、排出することができる汚泥状廃棄物の運搬車の提供を目的とする。
【０００４】
【課題を解決するための手段】
請求項１記載の発明は、各種汚泥状廃棄物を収容する略円筒状のタンクと、このタンクの上部に設けられ且つ該タンクの略全幅に相当する開口幅を有する汚泥投入用開口部と、この開口部を左右に２分して覆い且つそれぞれが回動動作を行って開閉する左側蓋体及び右側蓋体と、これら左側蓋体及び右側蓋体を開閉する駆動装置と、前記タンクの後端部に設けられた汚泥排出用開口部と、この開口部を覆い且つ回動動作を行って開閉する後端部蓋体と、前記タンク内にその軸長方向に進退可能に設けられて該タンク内の汚泥状廃棄物を外部に排出するための押し出し式排土板と、この排土板を進退させる駆動装置と、前記タンクの前側を持ち上げ該タンクを傾斜させる傾動装置と、前記左側蓋体及び右側蓋体を閉状態にロックするロック装置を備えており、前記左側蓋体及び右側蓋体を開閉する駆動装置は、該左側蓋体及び右側蓋体の前端部及び後端部に夫々設けられた開閉用シリンダ装置からなり、前記押し出し式排土板の左右両端部には摺動部が設けられており、この摺動部は前記タンク内面に設けられたガイドレール上を該タンクの軸方向に沿って摺動し、前記ロック装置は、前記左側蓋体及び右側蓋体を閉の向きに押圧する押圧機構を有し、この押圧機構は左側蓋体及び右側蓋体の上面に設けられた楔状体と、左側蓋体及び右側蓋体の近傍にそれぞれ設けられ楔状体の上面を押圧する板状カムと、この板状カムを回動させる駆動装置とからなり、この駆動装置はシリンダ装置と、このシリンダ装置に接続されたリンク機構とから構成されていることを特徴とする汚泥状廃棄物の運搬車である。
【０００７】
【発明の実施の形態】
本発明の実施形態について、図面を参照しつつ説明する。
図１、２、３は、それぞれ、本発明に係る汚泥状廃棄物の運搬車を示す側面図、平面図、後面図である。
請求項１に係る汚泥状廃棄物の運搬車（１）は、各種汚泥状廃棄物を収容する略円筒状のタンク（２）と、このタンク（２）の上部に設けられ且つ該タンク（２）の略全幅に相当する開口幅を有する汚泥投入用開口部（３）と、この開口部（３）を左右に２分して覆い且つそれぞれが回動動作を行って開閉する左側蓋体（４）及び右側蓋体（５）と、これら左側蓋体（４）及び右側蓋体（５）を開閉する駆動装置（９）とを備えている。
各種汚泥状廃棄物の種類は特に限定されるものではないが、主として高粘性の汚泥状廃棄物、特に、脱水処理がなされた屎尿等の汚泥状廃棄物がこれに該当する。
【０００８】
タンク（２）は、基本部（６）と、拡幅部（７）とから構成されている。
基本部（６）は略円筒状であって、この基本部（６）の高さ方向略中央部より上側には、タンク（２）の一部を構成する拡幅部（７）が設けられている。拡幅部（７）の左右の側壁（１７）は、基本部（６）の高さ方向中心部から立ち上がっている。基本部（６）の径と、拡幅部（７）の幅は略等しい。基本部（６）は、拡幅部（７）が設けられている部分において切り欠かれており、その切り欠かれた部分の縁部に拡幅部（７）が一体化されている。汚泥はこの拡幅部（７）内にも収容される。
【０００９】
拡幅部（７）は、上面に汚泥投入用開口部（３）を有しており、その開口幅は、タンク（２）の全幅及び基本部（６）の全幅と略一致している。拡幅部（７）の上端部は、基本部（６）の上端部と略同じ高さに位置するか若しくはそれより若干高い位置にある。
タンク（２）の材質は特に限定されるものではないが、耐腐食性の金属から構成されており、例えばステンレスから構成されている。
汚泥投入用開口部（３）は、拡幅部（７）と共にできるだけ長く形成されることが好ましいが、図示例では、拡幅部（７）と共にタンク（２）全長の約７割程度の長さで形成されている。
【００１０】
尚、タンク（２）は、後端部下側を中心として起伏可能となっており、その起伏の駆動源はタンク傾斜用シリンダ装置（８）である。タンク（２）が起状態になったとき、タンク（２）前側が上方へ持ち上げられ、タンク（２）は後側を下にして傾斜する。
【００１１】
左側蓋体（４）及び右側蓋体（５）は、いわゆる観音開き式の開閉方式を採っている。これら左側蓋体（４）及び右側蓋体（５）は、それぞれ、油圧シリンダ、空気圧シリンダ等の開閉用シリンダ装置（９）を駆動源として開閉する。
開閉用シリンダ装置（９）は、左側蓋体（４）及び右側蓋体（５）の前端部及び後端部にそれぞれ設けられており、開閉用シリンダ装置（９）の一端部が左側蓋体（４）及び右側蓋体（５）へ、他端部がタンク（２）へ取り付けられている。
【００１２】
左側蓋体（４）及び右側蓋体（５）は、それぞれ、前後方向に略同一断面形状で伸びており、断面略Ｌ字形をなしている。このＬ形の内側面は、左側蓋体（４）及び右側蓋体（５）が閉じたときに、拡幅部（７）の汚泥投入用開口部（３）を構成する側壁（１７）にぴったりと密着し、汚泥投入用開口部（３）を密閉する。左側蓋体（４）及び右側蓋体（５）にはそれぞれパッキンが設けられており、このパッキンは汚泥投入用開口部（３）を構成する側壁（１７）先端に密着することができる。また、左側蓋体（４）及び右側蓋体（５）には、これらが閉じたときに互いに突き合う端面にそれぞれパッキンが設けられている。これにより、左側蓋体（４）及び右側蓋体（５）が閉じたとき、左側蓋体（４）及び右側蓋体（５）はその突合せ面において互いに密着する。
【００１３】
次に、請求項１に係る汚泥状廃棄物の運搬車（１）の動作について説明する。屎尿脱水汚泥をタンク（２）に積み込むときには、まず、開閉用シリンダ装置（９）を駆動して左側蓋体（４）及び右側蓋体（５）を開き、汚泥投入用開口部（３）を露出させる。そしてこの汚泥投入用開口部（３）からタンク（２）内に屎尿脱水汚泥を投入する。この投入は、例えばホッパ等からの落下によって行われる。
この発明においては、円筒状のタンク（２）を用いているので、脱水処理がなされた屎尿等の汚泥状廃棄物の収容許容量を高めるとともに、密閉収容性を高めて異臭漏れを軽減することもできる。また、汚泥投入用開口部（３）は、タンク（２）の略全幅に相当する開口幅を有するので、ホッパの排出部の開度を大きくしても、屎尿脱水汚泥をこぼすことなく確実かつ速やかにタンク（２）に投入することができる。従って、現場にて廃棄物の投入作業をスムースに行うことができる。
【００１４】
尚、本発明においては、図６乃至９に示されるように、左側蓋体（４）及び右側蓋体（５）を閉状態にロックするロック装置（２０）が設けられる。
このロック装置（２０）は、各蓋体（４）（５）を閉の向きに押圧する押圧機構（２１）を有している。
【００１５】
押圧機構（２１）は、左側蓋体（４）及び右側蓋体（５）の上面に設けられた楔状体（２２）と、各蓋体（４）（５）の近傍にそれぞれ設けられ楔状体（２２）の上面を押圧する板状カム（２３）と、この板状カム（２３）を回動させる駆動装置（２４）とからなる。図示例では、駆動装置（２４）はシリンダ装置と、このシリンダ装置に接続されたリンク機構とから構成されている。
【００１６】
楔状体（２２）の上面は、図９に示される如く、板状カム（２３）の回動方向の接線に対して傾斜しており、その回動方向の一方側で高く、他方側で低くなっている。従って、左側蓋体（４）及び右側蓋体（５）を閉じた状態において、板状カム（２３）を前記一方側に向けて回動させると、板状カム（２３）の下面によって楔状体（２２）の上斜面が押圧され、左側蓋体（４）及び右側蓋体（５）はそれぞれ下向きに押圧され、固く閉状態にロックされる。
【００１７】
逆に、左側蓋体（４）及び右側蓋体（５）が閉状態にロックされた状態において、板状カム（２３）を前記他方側に向けて回動させると、板状カム（２３）の下面は楔状体（２２）の上斜面から離れ、ロック状態が解除される。
このようなロック装置（２０）を設けることにより、タンク（２）の密閉性が高まり、汚泥状廃棄物の異臭漏れをより一層確実に防ぐことができる。
【００１８】
請求項１に係る汚泥状廃棄物の運搬車（１）について更に説明する。
図面は、上記説明で用いた図１乃至３、及び図４，５を参照する。
運搬車（１）は、各種汚泥状廃棄物を収容する略円筒状のタンク（２）と、このタンク（２）の後端部に設けられた汚泥排出用開口部（１０）と、この開口部（１０）を覆い且つ回動動作を行って開閉する後端部蓋体（１１）と、タンク（２）内にその軸長方向に進退可能に設けられた押し出し式排土板（１２）と、この排土板（１２）を進退させる駆動装置（１３）と、タンク（２）の前側を持ち上げ該タンク（２）を傾斜させる傾動装置（８）と、を備えている。
傾動装置（８）は、図示例では、タンク傾動用シリンダ装置とされている。各種汚泥状廃棄物の種類は特に限定されるものではないが、主として高粘性の汚泥状廃棄物、特に、脱水処理がなされた屎尿等の汚泥状廃棄物がこれに該当する。
【００１９】
タンク（２）の上部構造は、上述した構造と同様である。
尚、タンク（２）の後端部に汚泥排出用開口部（１０）が設けられている。この汚泥排出用開口部（１０）は、タンク（２）の後端面略全体にわたって開口している。
【００２０】
後端部蓋体（１１）には、開閉用シリンダ装置（１４）の一端部が取付られ、このシリンダ装置（１４）の他端部はタンク（２）の側面に取り付けられている。このシリンダ装置（１４）の伸縮によって後端部蓋体（１１）が開閉する。
後端部蓋体（１１）にはパッキンが設けられている。後端部蓋体（１１）を閉じたとき、このパッキンが、汚泥排出用開口部（１０）を構成するタンク後端周縁部に密着する。
【００２１】
押し出し式排土板（１２）は、タンク（２）内の屎尿脱水汚泥をスムース且つ確実に外部へ排出するためのものである。この押し出し式排土板（１２）は、掻き出し部（１５）を有しており、この掻き出し部（１５）はタンク（２）内周に沿った形状をしている。掻き出し部（１５）は例えば合成ゴム等の弾性部材から構成されており、これにより、タンク（２）内周面に接触若しくは近接した状態で、タンク（２）内周面付近の屎尿脱水汚泥をスムース且つ確実に掻き出すことができる。
【００２２】
押し出し式排土板（１２）の左右両端部には、摺動部（１９）が設けられている。この摺動部（１９）は、タンク（２）の内面に設けられたガイドレール（３０）上を該タンク（２）の軸長方向に沿って摺動することができる。この摺動部（１９）及びガイドレール（３０）を設けることにより、押し出し式排土板（１２）はよりスムースに動くことができる。
【００２３】
駆動装置（１３）の構成は特に限定されるものではないが、例えば、油圧或いは空気圧シリンダ等のシリンダ装置とすることができる。このシリンダ装置を伸縮させることにより、押し出し式排土板（１２）をタンク（２）内でその軸長方向に進退させることができる。
【００２４】
次に、請求項１に係る運搬車（１）における汚泥排出方法を説明する。まず、傾動装置（８）を駆動してタンク（２）の前部を上げた状態にし、タンク（２）を傾斜させる。
後端部蓋体（１１）を開いた後、押し出し式排土板（１２）を後方へ押し出す。
すると、押し出し式排土板（１２）によって、タンク（２）内の屎尿脱水汚泥はスムース且つ確実に押し出され、外部へ排出される。
従って、現場にて廃棄物の排出作業をスムースに行うことができる。
また、円筒状のタンク（２）を用いているので、脱水処理がなされた屎尿等の汚泥状廃棄物の収容許容量を高めるとともに、密閉収容性を高めて異臭漏れを軽減することもできる。
【００２５】
【発明の効果】
請求項１記載の発明によれば、円筒状のタンクを用いているので、脱水処理がなされた屎尿等の汚泥状廃棄物の収容許容量を高めるとともに、密閉収容性を高めて異臭漏れを軽減することもできる。また、脱水処理がなされた汚泥状廃棄物を現場にてスムースに投入することができる。
【００２６】
また、前記左側蓋体及び右側蓋体を閉状態にロックするロック装置を備え、このロック装置は、各蓋体を閉の向きに押圧する押圧機構を有することから、タンクの密閉性が高まり、汚泥状廃棄物の異臭漏れを一層確実に防ぐことができる。
【００２７】
また、円筒状のタンクを用いているので、粘性の高い汚泥状廃棄物であっても現場にてスムースに排出することができる。
【図面の簡単な説明】
【図１】本発明に係る汚泥状廃棄物の運搬車を示す側面図である。
【図２】本発明に係る汚泥状廃棄物の運搬車を示す平面図である。
【図３】本発明に係る汚泥状廃棄物の運搬車を示す後面図である。
【図４】タンク内の押し出し式排土板付近を側方から見た図である。
【図５】タンク内の押し出し式排土板付近を後方から見た図である。
【図６】本発明におけるロック装置を車両上方から見た状態で示す図である。
【図７】本発明におけるロック装置を車両後方から見た状態で示す図である。
【図８】本発明におけるロック装置を車両側方から見た状態で示す図である。
【図９】ロック装置の押圧機構を示す斜視図である。
【符号の説明】
１・・・・・汚泥状廃棄物の運搬車
２・・・・・タンク
３・・・・・汚泥投入用開口部
４・・・・・左側蓋体
５・・・・・右側蓋体
９・・・・・開閉用シリンダ装置
１０・・・・汚泥排出用開口部
１１・・・・後端部蓋体
１２・・・・押し出し式排土板
１３・・・・駆動装置
２０・・・・ロック装置
２１・・・・押圧機構
【図１】
0004138364.tif 000002
【図２】
0004138364.tif 000003
【図３】
0004138364.tif 000004
【図４】
0004138364.tif 000005
【図５】
0004138364.tif 000006
【図６】
0004138364.tif 000007
【図７】
0004138364.tif 000008
【図８】
0004138364.tif 000009
【図９】
0004138364.tif 000010